(57)【要約】【課題】室内熱交換器で凝縮して発生したドレン水により生じる室内環境の快適性の悪化を抑制する。【解決手段】空気調和機２の室内機４を、室内熱交換器１０と、室内空気を吸い込み室内熱交換器１０を介して室内へ吹き出す室内ファン１４と、室内熱交換器１０で凝縮生成されるドレン水を受けるドレン溝３４ａが形成された露受け皿３４と、これらを収容する筐体３０で構成する。そして、ドレン溝３４ａの内壁面及び筐体３０の内壁面の少なくとも一方に、抗菌、防水、耐熱、剛性及び防音の少なくとも１の成分を含有してなる水溶性アクリル樹脂塗料を吹き付け塗装して、塗装面に凹凸を形成する。これにより、表面における水滴４２の親水性を高めて水滴の滴下を抑制すると共に、抗菌などの作用を増大させて悪臭を抑制する。【選択図】図４
2008202860.tif 000002
【特許請求の範囲】
【請求項１】
室内熱交換器と、室内空気を吸い込み前記室内熱交換器を介して室内へ吹き出す室内ファンと、前記室内熱交換器で凝縮生成されるドレン水を受けるドレン溝が形成された露受け皿と、これらを収容する筐体とを有してなる空気調和機の室内機であって、
前記ドレン溝の内壁面及び前記筐体の内壁面の少なくとも一方は、凹凸が形成された塗装面を有してなることを特徴とする空気調和機の室内機。
【請求項２】
前記塗装面に形成された凹凸は、塗料を吹き付け塗装して形成された凹凸であることを特徴とする請求項１に記載の空気調和機の室内機。
【請求項３】
前記塗料は、水溶性アクリル樹脂塗料であって、該水溶性アクリル樹脂塗料は、抗菌、防水、耐熱、剛性及び防音の少なくとも１の成分を含有してなることを特徴とする請求項２に記載の空気調和機の室内機。
【請求項４】
前記塗装面に形成された凹凸の凸部は、径が０．１〜１．５ｍｍであり、面積比率が３５〜６０％であり、かつ千鳥配列されてなることを特徴とする請求項１に記載の空気調和機の室内機。
【請求項５】
前記ドレン溝の側壁面には、該側壁面から前記ドレン溝の中央部に向かって張り出すフランジ部が形成されてなることを特徴とする請求項１に記載の空気調和機の室内機。
【請求項６】
請求項１〜５のいずれか１項に記載の空気調和機の室内機に膨張弁を設け、該室内機と、圧縮機及び室外熱交換器を有する室外機とを冷媒を循環する配管で連結して冷凍サイクルを形成してなる空気調和機。
【請求項７】
室内熱交換器と、室内空気を吸い込み前記室内熱交換器を介して室内へ吹き出す室内ファンと、前記室内熱交換器で凝縮生成されたドレン水を受けるドレン溝が形成された露受け皿と、これらを収容する筐体とを有して構成される空気調和機の室内機のドレン水処理方法であって、
前記ドレン溝の内壁面及び前記筐体の内壁面の少なくとも一方に、抗菌、防水、耐熱、剛性及び防音の少なくとも１の成分を含有してなる水溶性アクリル樹脂塗料を吹き付け塗装して、塗装面に凹凸を形成することを特徴とする空気調和機の室内機のドレン水処理方法。
【発明の詳細な説明】
【技術分野】
【０００１】
本発明は、空気調和機の室内機、空気調和機、及び空気調和機の室内機のドレン水処理方法に関する。
【背景技術】
【０００２】
空気調和機は、圧縮機及び室外熱交換器などで構成される室外機と、膨張弁及び室内熱交換器などで構成される室内機とを、冷媒配管で循環接続して冷凍サイクルを形成して室内の空気調和を行うものである。
【０００３】
室内熱交換器は、冷房運転時には蒸発器として作用し、室内機の室内送風ファンによって吸い込まれた室内空気が熱交換器で熱交換されて冷却される。その際に、空気中に含まれる水分が凝縮してドレン水が発生するので、これを受ける露受け皿が設けられる。このような露受け皿は、例えばドレン水が露受け皿の部材に除々にしみ込んで室内への滴下に至ることなどを防止するために、様々な表面処理がなされている。
【０００４】
例えば、特許文献１には、ビーズ融着成形発泡ポリスチレンフォームなどの独立気泡合成樹脂発泡体で露受け皿を構成し、その表面に真空成形したポリスチレンシートを同時一体成形して、ポリスチレンシート層を形成する防水処理方法が記載されている。また、露受け皿の表面にメタノールを溶剤としたアクリル系塗料を塗装する防水方法や、露受け皿の表面に酢酸ビニル樹脂をメタノール中に重合させたポリマー溶液を浸漬塗布して防水塗膜を形成させる方法などが記載されている。
【０００５】
【特許文献１】特開平２−１１５６２９号公報
【発明の開示】
【発明が解決しようとする課題】
【０００６】
しかしながら、上述の特許文献１に記載のいずれの処理を施したとしても、ドレン水に起因して室内環境の快適性が損なわれるおそれがある。
【０００７】
すなわち、例えば露受け皿にいったん落下したドレン水の水滴が、熱交換器を通過する空調気流によって巻き上げられて水飛びを起こし、室内機の空気吐出口から空調気流とともに室内に飛散して快適性が損なわれる場合がある。また、水飛びした水滴が直接室内へ滴下せずに室内機の筐体内壁面に附着したり、熱交換器表面に発生した水滴が空調気流によって飛ばされて筐体内壁面に附着したりすることも考えられるが、結局、内壁面をつたって室内へ滴下するおそれがある。
【０００８】
その他、例えば露受け皿に附溜した水滴によって雑菌が発生し、雑菌による悪臭が室内環境の快適性を損なう場合もある。
【０００９】
そこで本発明は、室内熱交換器で凝縮して発生したドレン水により生じる室内環境の快適性の悪化を抑制することを課題とする。
【課題を解決するための手段】
【００１０】
上記課題を解決するため、本発明の空気調和機の室内機は、室内熱交換器と、室内空気を吸い込み室内熱交換器を介して室内へ吹き出す室内ファンと、室内熱交換器で凝縮生成されるドレン水を受けるドレン溝が形成された露受け皿と、これらを収容する筐体とを有している。そして、ドレン溝の内壁面及び筐体の内壁面の少なくとも一方は、凹凸が形成された塗装面を有してなることを特徴とする。
【００１１】
すなわち、水滴は球体状に近づくにつれて、外力作用によって表面を転動しやすくなる。空調気流による水滴に巻き上がりや、筐体内壁面をつたうことによる水滴の滴下は、この転動のしやすさに起因するものである。
【００１２】
したがって、ドレン溝の内壁面及び筐体の内壁面の少なくとも一方の塗装面に凹凸を形成していれば、水滴の親水性を高めることができ、水滴が表面になじんで外力に対する表面抵抗が大きくなるので、転動を抑制することができる。その結果、ドレン溝に滴下した水滴が空調気流によって巻き上げられ水飛びすること、あるいは筐体内壁面に附着した水滴が表面をつたって滴下することなどを抑制して、室内環境の快適性の悪化を抑制することが可能となる。
【００１３】
この場合において、塗装面の凹凸は、塗料を吹き付け塗装することによって形成することができる。このように、吹き付けられた塗料の粒子によって凹凸状態を形成することがでる。特に、吹き付けの態様を様々に変化させることで、例えば塗装面に形成された凹凸の凸部を、径が０．１〜１．５ｍｍ、面積比率が３５〜６０％、かつ千鳥配列するなど、水滴の親水性の向上などに対して最適な凹凸状態を形成することができる。
【００１４】
また、塗料としては、例えば水溶性アクリル樹脂塗料を用いることができ、この水溶性アクリル樹脂塗料に、抗菌、防水、耐熱、剛性及び防音の少なくとも１の成分を含有させたものを用いるのが好ましい。例えば、この各成分を有する粒子を水溶性アクリル樹脂塗料に配合して、これを塗料として用いることなどができる。このように複合的な成分を含有する塗料を用いれば、例えばドレン水による悪臭の発生を抗菌作用で抑制したり、ドレン水が露受け皿の部材に除々にしみ込むことにより発生する室内滴下を防水作用で抑制したり、室内環境の快適性を向上させることができる。
【００１５】
また、上述のように、塗装面に凹凸を形成することにより、ドレン溝の内壁面あるいは筐体内壁面における水滴の流れは蛇行状態となる。このため、例えば塗料に抗菌成分を含有させていれば、水滴の抗菌塗料通過距離が多くなり、抗菌作用時間が増大し、抗菌作用効果を向上させることができる。
【００１６】
また、ドレン溝の側壁面には、側壁面からドレン溝の中央部に向かって張り出すフランジ部を形成することができる。ドレン溝にいったん滴下した水滴は、上述の凹凸形状による親水性作用によって水飛びし難くなるが、完全に抑制できるものではない。この点、フランジ部を、ドレン溝の側壁面のうち空調気流の流出側に相当する部位に形成すれば、巻き上げられて飛んだ水滴をガードして、室内への水滴の滴下を抑制することができる。また、フランジ部を、ドレン溝の側壁面のうち空調気流の流入側に相当する部位に形成すれば、水滴を巻き上げる要因となる空調気流の流入をガードして、水飛びを抑制することができる。
【発明の効果】
【００１７】
本発明によれば、室内熱交換器で凝縮して発生したドレン水により生じる室内環境の快適性の悪化を抑制することができる。
【発明を実施するための最良の形態】
【００１８】
以下、本発明を適用してなる空気調和機の実施例を図１〜図７を用いて説明する。なお、以下の説明では、同一機能部品については同一符号を付して重複説明を省略する。
【００１９】
まず、図１は、本実施形態の空気調和機の冷凍サイクルを示す全体構成図である。図１に示すように、空気調和機２は、室内機４と、室外機６とを冷媒を循環する配管８で連結して構成されている。室内機４には、室内熱交換器１０、室内膨張弁１２、室内ファン１４などが配置されている。また、室外機６には、圧縮機１６、四方弁１８、室外熱交換器２０、室外ファン２２などが配置されている。
【００２０】
このような空気調和機の基本的な動作について説明する。例えば暖房運転時、圧縮機１６により圧縮された冷媒ガスが、四方弁１８を介して室内機４内の室内熱交換器１０に導かれる。室内熱交換器１０に導かれた冷媒ガスは、室内ファン１４によって室内へ送られる空気と熱交換して凝縮した後、膨張弁１２を介して室外機６の室外熱交換器２０に導かれる。そして、室外機６に導かれた冷媒は室外ファン２２によって室外熱交換器２０に送られる外気と熱交換して蒸発し圧縮機１６に戻される構成になっている。
【００２１】
一方、冷房運転の場合は、四方弁１８を切り替えて冷媒が反対方向に循環する。つまり、圧縮機１６により圧縮された冷媒ガスが、四方弁１８を介して室外機６の室外熱交換器２０で凝縮された後、室内機４の膨張弁１２を介して室内熱交換器１０に導かれる。室内熱交換器１０に導かれた冷媒ガスは室内ファン１４によって室内機４の内へ送られる空調気流と熱交換して蒸発され、圧縮機１６に戻される構成となっている。
【００２２】
続いて、本発明の特徴部である室内機４について説明する。図２は、本実施形態の室内機の構成を示す斜視図であり、図３は、本実施形態の室内機の構成を示す縦断面図である。図２，３に示すように、本実施形態では、天井２８に埋め込み設置される室内機を例に説明するが、本発明はこれに限らず、例えば一般家庭用の室内機などにも適用できる。
【００２３】
図２，３に示すように、室内機４は、下面開口の筐体３０内に、吸込み口板３２、室内ファン１４、露受け皿３４、室内熱交換器１０、ファンモータ３６などが収容されており、下面開口がパネル３８で覆われている。なお、室内膨張弁１２が筐体３０内に収容されていれもよい。また、露受け皿３４は、独立気泡合成樹脂発泡体などの発泡体で形成することができる。
【００２４】
ファンモータ３６に組付け固定された室内ファン１４がファンモータ３６によって回転すると、ファン吸込み口１４ａより空調気流４０が浸入し、続いてファン吐出口１４ｂへと流動した後、室内熱交換器１０を通過して熱交換される。熱交換された空調気流４０は、パネル３８に設けられたルーバ３８ａを介して空調吹出し口３８ｂより室内へ吐出される。
【００２５】
ここで、冷房運転時に室内熱交換器１０で発生するドレン水について図４を用いて説明する。図４は露受け皿３４及び室内熱交換器１０の一部を拡大した縦断面図である。図示のように、冷房運転時には、室内熱交換１０によって空調気流４０が冷却され、空気中に含まれている水分の一部が結露となり、室内熱交換器１０に附着する。そして、結露は水滴４２となって滴下し、露受け皿３４ に形成されたドレン溝３４ａに附溜する。ドレン溝３４ａに附溜したドレン水は、例えば図示していないポンプ装置で吸い込まれるなどして適切に処理されるものである。
【００２６】
しかしながら、露受け皿３４のドレン溝３４ａに附溜した水滴４２の一部は、図示のように室内ファン１４からの空調気流４０により巻き上げられ、水飛びが発生する。そして、ドレン溝３４ａから飛び出した水滴は空調気流４０と混在して空調吹出し口３８ｂより室内へ飛散されることとなる。
【００２７】
このような問題を解決すべく、本実施形態では、抗菌、防水、耐熱、剛性及び防音のそれぞれの成分を有するセラミックビーズなどを水溶性アクリル樹脂塗料に配合した塗料を使用する。そして、この塗料を、少なくともドレン溝３４ａの底壁面及び側壁面を含む露受け皿３４の表面に吹き付け塗装している。この吹き付け塗装により、図４に示すように、ドレン溝３４ａの底壁面及び側壁面からなる内壁面には、凹凸を有する塗装面が形成される。
【００２８】
まず、このように複合的な成分を含有する塗料を用いることにより、例えばドレン水によって雑菌が繁殖して悪臭が発生したり、ドレン水が露受け皿の部材である発泡体に除々にしみ込み、最終的に室内滴下したりすることなど、様々な弊害を抑制して室内環境の快適性を向上させることができる。また、防音作用などにより、例えばファンモータ３６で発生する騒音を抑制するなどして室内環境の快適性を向上させることができる。
【００２９】
また、ドレン溝３４ａから水滴４２が空調気流４０によって巻き上げられ、室内へ滴下することを抑制することができる。すなわち、水滴は球体状に近づくにつれて、外力作用によって表面を転動しやすくなり、上述の空調気流による水滴に巻き上がりは、この転動のしやすさに起因するものである。この点、本実施形態では、ドレン溝３４ａの内壁面の塗装面に凹凸を形成しているので、水滴の親水性を高めることができる。これにより、水滴が表面になじんで外力に対する表面抵抗が大きくなるので、転動を抑制してドレン溝３４ａからの水滴の巻き上がり、室内への飛散を抑制することができる。
【００３０】
さらに、本実施形態では、図４に示すように最も水滴４２が巻き上げられやすい位置であるドレン溝３４ａの空調気流４０の吹出し側の外周稜線部に沿って、連続した凸形状からなるフランジ３４ｂを形成している。フランジ３４ｂは、ドレン溝３４ａの中心方向に延在させて形成される。なお、フランジ３４ｂは、予め露受け皿３４の部材を凸状に形成して、そこに塗料を吹き付け塗布してもよいし、塗料の粒子により凸状の形状を形成してもよい。これにより、巻き上げられて飛んだ水滴をフランジ３４ｂでガードすることができるので、室内への水滴の滴下を抑制することができる。
【００３１】
また、フランジ３４ｂを、ドレン溝３４ａの空調気流４０の流入側の外周稜線部に沿って、つまり図示したフランジ３４ｂに対向する位置に、形成してもよい。これによれば、水滴を巻き上げる要因となる空調気流４０の流入をガードすることができるので、水滴の巻き上げ、水飛びを抑制することができる。
【００３２】
続いて、室内機４の筐体３０の内壁面に表面処理について図５を用いて説明する。図５は、筐体３０及び室内熱交換器１０の一部を拡大した模式図である。冷房運転時に室内熱交換１０に結露が発生して、露受け皿３４に滴下することについては上述したとおりであるが、全ての水滴が露受け皿３４に滴下するわけではなく、一部は、空調気流４０に伴って図示のように飛散して筐体３０の内壁面、特に側壁面に附着することもある。
【００３３】
また、いったん露受け皿３４に滴下した水滴が、空調気流４０によって巻き上げられて飛散し、筐体３０の内壁面、特に側壁面に附着することもある。さらに、筐体３０内にこもった水蒸気が筐体３０の天井面で冷やされて、天井面に水滴が附着することもある。
【００３４】
これらの水滴が、重力にしたがって内壁面をつたい、室内に滴下することがあるため、本実施形態では、上述と同様の塗料を、図示のように、筐体３０の内壁面に吹き付け塗装している。この吹き付け塗装により、図示のように、筐体３０の天井面及び側壁面からなる内壁面には、凹凸を有する塗装面が形成される。
【００３５】
これにより、上述のドレン溝３４ａの場合と同様に、水滴の親水性を高めることができるので、水滴が表面になじんで外力に対する表面抵抗が大きくなる。したがって、水滴が筐体の側壁面を下方向につたって最終的に室内に滴下することや、天井面から直接滴下することなどを抑制することができる。
【００３６】
続いて、ドレン溝３４ａの内壁面及び筐体３０の内壁面に形成する凹凸の詳細について図６，７を用いて説明する。図６は、内壁面に形成された塗料の粒子凸部の平面模式図であり、図７は、内壁面に形成された塗料の粒子凸部の縦断面模式図である。
【００３７】
図６に示すように、凹凸の粒子凸部４４は、略円形の形状を有している。そして、図７に示すように、その直径φが、０．１ｍｍ〜１．５ｍｍ程度になるように吹き付け塗装を調整することが好ましい。また、凸部４４の面積が、全体面積の３５〜６０％程度になるように塗装の調整するのが望ましい。さらに、凸部４４が、図６のように千鳥配列になるように塗装を行うことによって、上述した親水性効果がさらに向上する。
【００３８】
また、図６に示すように、ドレン溝３４ａの表面の凹凸形状によって水滴４２の流れは蛇行状態となるため、水滴４２の塗料通過距離が多くなる。したがって、塗料に抗菌、防水などの成分を含有させておけば、水滴４２に抗菌、防水などの成分が作用する時間が増大し、その結果、抗菌、防水などの作用効果を向上することができる。
【００３９】
なお、本実施形態で用いる塗料は、抗菌、防水の他、耐熱、剛性、防音の成分を含有した水溶性アクリル樹脂であるから、従来技術の特許文献１に記載されているメタノールを溶剤としたアクリル系塗装による塗膜の強靭性、剛性の低下の問題は発生しない。
【図面の簡単な説明】
【００４０】
【図１】本実施形態の空気調和機の冷凍サイクルを示す全体構成図である。
【図２】本実施形態の室内機の構成を示す斜視図である。
【図３】本実施形態の室内機の構成を示す縦断面図である。
【図４】室内機の露受け皿の表面処理を説明する図である。
【図５】室内機の筐体の内壁表面処理を説明する図である。
【図６】内壁面に形成された塗料の粒子凸部の平面模式図である。
【図７】内壁面に形成された塗料の粒子凸部の縦断面模式図である。
【符号の説明】
【００４１】
２  空気調和機
４  室内機
６  室外機
８  配管
１０  室内熱交換器
１２  室内膨張弁
１４  室内ファン
１６  圧縮機
２０  室外熱交換器
３０  筐体
３４  露受け皿
３４ａ  ドレン溝
３４ｂ  フランジ
４０  空調気流
４２  水滴
【図１】
2008202860.tif 000003
【図２】
2008202860.tif 000004
【図３】
2008202860.tif 000005
【図４】
2008202860.tif 000006
【図５】
2008202860.tif 000007
【図６】
2008202860.tif 000008
【図７】
2008202860.tif 000009